(57)【特許請求の範囲】
【請求項１】
コーナーステップ本体とこのコーナーステップ本体の裏面に取り付けられる固定装置とからなり、固定装置は、前後方向で所定の間隔を開けて対峙すると共に少なくとも下縁で一体若しくは一体的に連結された前後一対の支持壁体を備え、且つ、両支持壁体には足場用建枠の横材にその上方から嵌脱自在に係止されるように、下向開放の横材嵌合孔が設けられた固定装置本体と、前記コーナーステップ本体に着脱自在に取り付けられる取付け基盤と、前記固定装置本体を当該取付け基盤に対して回動自在で、且つ、左右方向に少許の横移動を許すように保持する横支軸と、両支持壁体の上縁で、且つ、前後の間隔の中心に軸線を合わせて設けられた前記横支軸を挿通する支持筒部材と、更に前記固定装置本体の前記前後の支持壁体の間隔内に装置されていて、前記横材のロック位置とロック解除位置との間をスライド自在に構成され、且つ、前記ロック位置から前記ロック解除位置に移動させるための操作部材が備わったロック部材とから構成され、前記ロック部材は前記ロック位置ではその下部を前記横材嵌合孔内に突き出させることにより、この横材嵌合孔の前後一対の内周縁と協働して前記横材の外周の半周以上を抱きかかえて前記固定装置本体の前記横材からの抜け出しを阻止し、また、前記ロック解除位置では前記ロック部材の上部を前記横材嵌合孔内に突出させることにより、前記横材を上方から下方へ押圧してこの横材の前記横材嵌合孔からの離脱を促すように構成され、更に、前記固定装置本体と前記取付け基盤との間には固定装置本体の起立作用姿勢と横倒し姿勢を夫々保持する起伏姿勢保持構造が形成されていると共に、両姿勢を安定的に保つための弾性付勢材が設けられていることを特徴とするコーナーステップ。
【請求項２】
横支軸は、その両端部位が、前記取付け基盤の左右両辺の前後中心部位から下方へ一体に垂下延設した支え起立板に軸支されている請求項１記載のコーナーステップ。
【請求項３】
起伏姿勢保持構造は、固定装置本体の上縁でその左右端の一方に設けられた切欠き段部と、前記取付け基盤の左右両辺の前後中心部位から下方へ一体に垂下延設した支え起立板の内、この切欠き段部に対向した側の支え起立板とから成り、この支え起立板は、その下辺と前後辺の前記横支軸からの距離が共に前記切欠き段部と前記横支軸の中心からの距離と同等の寸法を備えて構成されている請求項１記載のコーナーステップ。
【請求項４】
弾性付勢材は固定装置本体と、前記取付け基盤の左右両辺の前後中心部位から下方へ一体に垂下延設した支え起立板の内、前記取付け基盤の前記起伏姿勢保持構造を設けた側とは反対側の支え起立板の間に介在されていて、前記横支軸の周囲に嵌装された圧縮コイルバネであるか、一端が他方の取付け基盤の下面に固定されて他端で前記固定装置本体に押圧力を付与する板バネのいずれかである請求項１記載のコーナーステップ。
【請求項５】
ロック部材の操作部材がコーナーステップ本体に貫設した開口下に位置し、且つ、前記コーナーステップ本体の表面に突出しない位置にあるようにして装着されている請求項１〜４のいずれかに記載のコーナーステップ。
【請求項６】
コーナーステップ本体は互いに直交する一方の足場板の妻側端部と他方の足場板の桁側端部とに対向する両端がその全長にわたって夫々鈍角に折れ曲げられて折り曲げ部を備えている請求項１〜５のいずれかに記載のコーナーステップ。
【請求項７】
コーナーステップ本体はその下面の前後両端辺近傍部位に左右全長にわたって下方へ突出するリブが設けられている請求項１〜６のいずれかに記載のコーナーステップ。
【発明の詳細な説明】
【技術分野】
【０００１】
本発明は、コーナーステップに関する。
【背景技術】
【０００２】
コーナーステップは、枠組足場の足場板によって形成される作業床兼用の通路とこれに直交する他の作業床兼用通路とが交差するコーナー部において、互いに直交する一方の足場板の妻側端部と他方の足場板の桁側端部との間の隙間を塞ぐように前記一方の足場板が架け渡されるように設けられている。
【０００３】
このコーナーステップを足場用建枠の横材に取り付けるに当たって、従来では、矩形板状のステップ板の前端部の左右両端に、足場用建材の横材に対して上方から嵌脱自在に係止されるフックを突設すると共に、ステップ板の前端部の左右方向中間部下面側に受け金具を突設し、この受け金具には、前記足場用建枠の横材に係合してフックの上方向への移動を阻止するための落下錠を、フックの上方向への移動を阻止するロック位置とその上方向への移動を許すロック解除位置との間で揺動自在で、常時は自重でロック位置に保持されるように取り付けると共に、落下錠をロック位置からロック解除位置に引き上げ操作する操作片を、ステップに貫設した貫通孔から常時上方へ若干突出するようにしてこの落下錠に連設するようにしたものが提案されている（特許文献１参照）。また、同様の趣旨のものとして特許文献２に示されたような提案もなされている。
【先行技術文献】
【特許文献】
【０００４】
【特許文献１】特許第５１２１２１５号公報
【特許文献２】特許第４６１７２８１号公報
【発明の開示】
【発明が解決しようとする課題】
【０００５】
ところで、以上の特許文献に開示された技術の特筆すべき利点は、ステップ取付け後にステップの表側から落下錠のロック解除を簡単に行えることである。
しかし、これら特許文献１また同２に提案された技術は、何れにしても、フック並びに受け金具はステップの下面に固定的に突設されている。そのために、ステップを収納保管する際にはこれらフックや受け金具が嵩高さを助長してしまい、コンパクトに収納できない上に、収納保管時の積み重ね姿勢が不安定になり易く、崩れやすいきらいがある。また、一体的に取り付けられているために損傷した場合などの取り換えが困難で、ステップそのものが無駄になっていた。更には、構成部品が多数で、組み付けにも手数を要して、廉価に提供でき難い問題もあった。
【０００６】
そこで本発明者らは、前記の従来技術を種々検討した結果、受け金具の取り付け方に工夫を加えることで、ステップを前記横材に取付けた後にステップの表側から落下錠のロック解除を簡単に行える利点は最大限に生かしながらも嵩低い収納保管ができ、安定的な積み重ね姿勢を保つことができ、併せてステップをより安定的に架設できるコーナーステップを提供できるに至ったので、ここに提案する。
【０００７】
従って、本発明の目的は、コーナーステップを足場用建枠の横材に取付けた後にコーナーステップの表側から落下錠のロック解除を簡単に行える利点は最大限に生かしながらも嵩低い収納保管ができ、安定的な積み重ね姿勢を保て、併せてステップをより安定的に架設できるコーナーステップを提供することにある。
【課題を解決するための手段】
【０００８】
上記の目的を達成するために、この発明の請求項１のコーナーステップは、コーナーステップ本体とこのコーナーステップ本体の裏面に取り付けられる固定装置とからなり、固定装置は、前後方向で所定の間隔を開けて対峙すると共に少なくとも下縁で一体若しくは一体的に連結された前後一対の支持壁体を備え、且つ、両支持壁体には足場用建枠の横材にその上方から嵌脱自在に係止されるように、下向開放の横材嵌合孔が設けられた固定装置本体と、前記コーナーステップ本体に着脱自在に取り付けられる取付け基盤と、前記固定装置本体を当該取付け基盤に対して回動自在で、且つ、左右方向に少許の横移動を許すように保持する横支軸と、両支持壁体の上縁で、且つ、前後の間隔の中心に軸線を合わせて設けられた前記横支軸を挿通する支持筒部材と、更に前記固定装置本体の前記前後の支持壁体の間隔内に装置されていて、前記横材のロック位置とロック解除位置との間をスライド自在に構成され、且つ、前記ロック位置から前記ロック解除位置に移動させるための操作部材が備わったロック部材とから構成され、前記ロック部材は前記ロック位置ではその下部を前記横材嵌合孔内に突き出させることにより、この横材嵌合孔の前後一対の内周縁と協働して前記横材の外周の半周以上を抱きかかえて前記固定装置本体の前記横材からの抜け出しを阻止し、また、前記ロック解除位置では前記ロック部材の上部を前記横材嵌合孔内に突出させることにより、前記横材を上方から下方へ押圧してこの横材の前記横材嵌合孔からの離脱を促すように構成され、更に、前記固定装置本体と前記取付け基盤との間には固定装置本体の起立作用姿勢と横倒し姿勢を夫々保持する起伏姿勢保持構造が形成されていると共に、両姿勢を安定的に保つための弾性付勢材が設けられている。
【０００９】
コーナーステップにおいて、請求項１記載の横支軸は、その両端部位が、前記取付け基盤の左右両辺の前後中心部位から下方へ一体に垂下延設した支え起立板に軸支されている（請求項２）。
【００１０】
また、コーナーステップにおいて、起伏姿勢保持構造は、固定装置本体の上縁でその左右端の一方に設けられた切欠き段部と、この切欠き段部に対向して前記取付け基盤に設けられている前記支え起立板とから成り、この支え起立板は、その下辺と前後辺の前記横支軸からの距離が共に前記切欠き段部と前記横支軸の中心からの距離と同等の寸法を備えて構成されているのが望ましい（請求項３）。
【００１１】
更に、コーナーステップにおいて、弾性付勢材は固定装置本体と前記取付け基盤の前記起伏姿勢保持構造を設けた側とは反対側の支え起立板の間に介在されていて、前記横支軸の周囲に嵌装された押圧スプリングであるか、一端が他方の取付け基盤の下面に固定されて他端で前記固定装置本体に押圧力を付与する板バネのいずれかであるのが望ましい（請求項４）。
【００１２】
更に、コーナーステップにおいて、ロック部材の操作部材がコーナーステップ本体に貫設した開口下に位置し、且つ、前記コーナーステップ本体の表面に突出しない位置にあるようにして装着されているのが望ましい（請求項５）。
【００１３】
また、コーナーステップにおいて、コーナーステップ本体は互いに直交する一方の足場板の妻側端部と他方の足場板の桁側端部とに対向する両端がその全長にわたって夫々鈍角に折れ曲げられて折り曲げ部を備えているのが望ましい（請求項６）。
【００１４】
また、コーナーステップにおいて、コーナーステップ本体はその下面の前後両辺近傍部位に左右全長にわたって下方へ突出するリブが設けられているのが望ましい（請求項７）。
【発明の効果】
【００１５】
このように、この発明の請求項１〜７に係る発明では、嵩低い収納保管ができ、安定的な積み重ね姿勢を保つことができ、併せてより安定的に架設できるコーナーステップが得られる。
【００１６】
即ち、本発明の請求項１〜７に係るコーナーステップでは、固定装置本体は横支軸を介して取付け基盤に対して回動自在で、且つ、左右方向に少許の横移動を許すように取り付けられていると共に、前記固定装置本体と前記取付け基盤との間には固定装置本体の起立作用姿勢と横倒し姿勢を夫々保持する起伏姿勢保持構造が形成されていると共に、両姿勢を安定的に保つための弾性付勢材が設けられている。
従って、前記固定装置本体を倒伏させるには、先ず図１１に示すように、前記固定装置本体を前記付勢材の弾性押圧力に抗して前記横支軸の軸心方向に少しスライドさせて起伏姿勢保持構造によるこの固定装置本体の起立姿勢を保持する作用を解除する。この起立姿勢を保持する作用の解除によって、前記固定装置本体は前記横支軸を中心にして揺動自在となるので、前記取付け基盤、ひいてはコーナーステップ本体と平行な姿勢に横倒しにでき、図１２に示すように、前記固定装置本体を嵩低く折り畳める。逆に固定装置本体を起立姿勢にするには、図１２に示すように、横倒し姿勢から、前記付勢材の弾性押圧力に抗して前記横支軸の軸心方向に少しスライドさせて起伏姿勢保持構造によるこの固定装置本体の横倒し姿勢を保持する作用を解除する。この横倒し姿勢を保持する作用の解除によって、前記固定装置本体は前記横支軸を中心にして揺動自在となるので、前記取付け基盤、ひいてはコーナーステップ本体と垂直な姿勢に起立させることができ、図１１に示すように、引き続き前記起伏姿勢保持構造によってこの固定装置本体の起立姿勢が保たれる。
【００１７】
また、足場用建枠の横材にコーナーステップを設置するには、コーナーステップ本体の表面側（上側）の前記開口に指を差し込んで固定装置本体の前記ロック部材の操作部材を引き上げる。これによって、図９に示すように、前記ロック部材をロック解除位置に移行させ、このロック部材の下部を前記横材嵌合孔内から前後の支持壁体の間隔内に引退させ、この横材嵌合孔下部を完全に開放する。これによって、固定装置本体を横材嵌合孔によって横材に上手く嵌合させることができる。引き続き、前記貫通孔に指を差し込んで前記ロック部材の操作部材を押し落す。これによって、図５、８に示すように、前記ロック部材をロック位置に移行させ、図５、８に示すように、このロック部材の下部を前後の支持壁体の間隔内から前記横材嵌合孔内に突出させることにより、この横材嵌合孔の前後一対の内周縁と協働して前記横材の外周の半周以上を抱きかかえて、前記固定装置本体の前記横材からの抜け出しを阻止する。
【００１８】
逆に、コーナーステップを横材から取り外すには、コーナーステップ本体の表面側（上側）の前記開口に指を差し込んで固定装置本体の前記ロック部材の操作部材を引き上げる。これによって、図９に示すように、前記ロック部材をロック解除位置に移行させ、このロック部材の下部を前記横材嵌合孔内から前後の支持壁体の間隔内に引退させ、この横材嵌合孔下部を完全に開放する。この動作に並行して、ロック部材の上部が前後の支持壁体の間隔内から横材嵌合孔内へ突出しつつ横材の上部を下方へ押し下げるように働く。つまりは梃子の原理を用いてロック部材で横材を直接押し下げるようにでき、固定装置本体、ひいてはコーナーステップ本体が横材からスムーズに離脱するように働く。
【００１９】
また、コーナーステップが横材に設置されているときは、前記横材嵌合孔の前後に所定の間隔を開けて存在する内周縁と横材を挟んでこれに対峙するロック部材との三つの周縁で前記横材が支持されることで、固定装置本体による横材の支持面積が格段に増加する。併せて、前記横支軸が前記両支持壁体の上縁で、且つ、前後の間隔の中心に軸線を合わせて設けられた支持筒部材に挿通保持されていることから、つまり、横支軸は固定装置並びに取り付け基盤の中央部に位置するように構成されていることにより、コーナーステップを横材に載置させたとき、コーナーステップ上を歩く作業者の重力や衝撃等の荷重を前記取付け基盤に垂直方向の力として伝えることが可能になる。
【００２０】
このように、本発明に係るコーナーステップは、固定装置本体が横支軸周りで回動して起立・倒伏自在に構成され、起立時にはその起立姿勢が前記起伏姿勢保持構造と付勢材によって確保できるもので、コーナーステップ使用時にはいち早く起立姿勢にでき、逆に不使用時にはいち早く横倒し姿勢にできる。その結果、コーナーステップ不使用時、この固定装置を大変嵩低く折り畳め、コーナーステップを収納保管或いは運搬する時など、嵩低く安定的に積み重ねることができ、従ってまた安全性の確保にも貢献することができる。また、固定装置本体を前後に所定の間隔を開けた２枚の支持壁体を備えて構成することによって、前記の通り、固定装置本体による横材の支持面積が格段に増加させることができ、併せて横支軸を固定装置の中央部に位置するように構成することにより、コーナーステップが横材に載置させたとき、コーナーステップ上を歩く作業者の重力や衝撃等の負荷荷重を前記取付け基盤に垂直方向の力として伝えることを可能にしたので、コーナーステップの設置時の安定した姿勢の保持を高度に保つことができ、安全性を高めることができ、しかも、ロック部材のロック解除時は、梃子の原理を用いてロック部材で横材を直接押し下げるので、コーナーステップを横材からスムーズに離脱させることができる。しかも、取付け基盤はコーナーステップ本体に対して、例えばボルトなどを介して着脱自在に取り付けられるので、コーナーステップ本体或いは固定装置の何れかが破損しても、破損した側を取り換えさえすれば良く、資源の無駄を無くすことができる。
【００２１】
また、請求項２に係る発明では、横支軸は、その両端部位が、前記取付け基盤の左右両辺の前後中心部位から下方へ一体に垂下延設した支え起立板に軸支されているので、この横支軸の固定装置での中央部の存在をより的確に確保して、コーナーステップの設置時の安定した姿勢の保持を一層高度に保つことができ、安全性を更に高めることができる。
【００２２】
更に、請求項３に係る発明では、起伏姿勢保持構造は、固定装置本体の上縁でその左右端の一方に設けられた切欠き段部と、前記取付け基盤の左右両辺の前後中心部位から下方へ一体に垂下延設した支え起立板の内、この切欠き段部に対向した側の支え起立板とから成り、この支え起立板は、その下辺と前後辺の前記横支軸からの距離が共に前記切欠き段部と前記横支軸の中心からの距離と同等の寸法を備えて構成されていることによって、固定装置本体の起・伏のための姿勢維持構造を、この固定装置を構成する本来的な構成部材をそのまま利用して構成でき、構造の簡素化を図れると共に、コストダウンも計れ、廉価に提供できる。
【００２３】
更に、請求項４に係る発明では、弾性付勢材は固定装置本体と、前記取付け基盤の左右両辺の前後中心部位から下方へ一体に垂下延設した支え起立板の内、前記取付け基盤の前記起伏姿勢保持構造を設けた側とは反対側の支え起立板の間に介在されていて、前記横支軸の周囲に嵌装された圧縮コイルバネであるか、一端が他方の取付け基盤の下面に固定されて他端で前記固定装置本体に押圧力を付与する板バネのいずれかで構成されているので、別途に位置規制固定用の部品を用いるものに比べて、本体の起立倒伏を半自動的に行え、併せて、起立時、倒伏時夫々の位置規制保持が共に弾性押圧力で担保され、本体の起立倒伏の操作が簡便になる。殊に押圧スプリングを前記横支軸周囲に嵌装する構造である場合には、構造がシンプルで、一層コンパクトに構成できる。
【００２４】
また、請求項５に係る発明では、固定装置の操作部材がコーナーステップ本体に貫設した開口下に位置し、且つ、前記コーナーステップ本体の表面からは表側に突出しない位置にあるようにして装着されているので、操作部材をこのコーナーステップ本体の表側から前記開口を介して指先で簡単にロック解除操作ができ、併せて操作部材を持ち上げる操作で、コーナーステップ本体を同時に持ち上げることができるので、従来のようにコーナーステップ板の裏側に回り込んで行う場合と違って、殊にコーナーステップ本体の取外しの際の作業が大きく改善され、軽快な作業が可能になる。併せて、この操作部材は、その頭部が、コーナーステップ本体の表側には露出しないようにして配設されているため、間違っても、コーナーステップ本体上を歩く作業者がつま先を引っ掛けてしまうおそれも格段に改善され、安全性を大幅に向上できる。
【００２５】
更に、請求項６に係る発明では、コーナーステップ本体は互いに直交する一方の足場板の妻側端部と他方の足場板の桁側端部とに対向する両端がその全長にわたって夫々鈍角に折れ曲げられて折り曲げ部を備えているので、一方の足場板の妻側端部と他方の足場板の桁側端部との間に多少の段差が生じたとしても、これを上手くカバーし、つまずき防止効果を一層高め、より安全なコーナーステップを提供できる。
【００２６】
また、請求項７に係る発明では、コーナーステップ本体はその下面の前後両端近傍辺部位に左右全長にわたって下方へ突出するリブが設けられているので、これが一方の足場板の妻側端部或いは他方の足場板の桁側端部上に載置された際、図１３に示すように、足場板の両サイドに設けられている掴み金具（フック金具）の内側に当接して、殊に横方向へコーナーステップを押しやる外力に上手く対抗し、前記ロック部材によるロック機能と相俟って横滑り防止効果を上手く発揮することができ、より安全なコーナーステップを提供できる。
【図面の簡単な説明】
【００２７】
【図１】この発明に係るコーナーステップに用いられる固定装置の外観図である。
【図２】この発明に係るコーナーステップの実施例を示し、全体正面図である。
【図３】全体平面図である。
【図４】全体側面図である。
【図５】コーナーステップに適用される固定装置の拡大全体正面図である。
【図６】固定装置の全体側面図である。
【図７】固定装置の全体平面図である。
【図８】図５中、Ａ―Ａ線に沿った一部切欠き断面図である。
【図９】ロック部材の作用を説明する図５に対応する断面図である。
【図１０】本発明に係るコーナーステップの取り付け状態を示す平面図である。
【図１１】固定装置を起立姿勢にした状態をコーナーステップの下方から臨んだ概略説明斜視図である。
【図１２】固定装置を横倒し姿勢にした状態をコーナーステップの下方から臨んだ概略説明斜視図である。
【図１３】コーナーステップを横材に架設した状態を下方から見た説明下面図である。
【発明を実施するための形態】
【００２８】
以下、本発明に係るコーナーステップの第１実施形態について、図１〜１２の記載に基づいて説明する。
コーナーステップ１は、図２〜４、図１１〜１２に示すように、コーナーステップ本体２とこのコーナーステップ本体２の下面２Ａに取り付けられる固定装置３とから構成される。
コーナーステップ１は、図１０に示されるように、枠組足場の足場板によって形成される作業床兼用の通路Ｋ１とこれに直交する他の作業床兼用通路Ｋ２とが交差するコーナー部Ｋ３において、互いに直交する一方の足場板Ｋ１２の妻側端部Ｋ１２Ａと他方の足場板Ｋ２１の桁側端部Ｋ２１Ａとの間の隙間Ｋ３１を塞ぐように架け渡されるように設けられている。
【００２９】
コーナーステップ本体１は、図２〜４、図１１〜１２に示すように、鋼板或いはアルミニウム製の矩形の金属製板体で構成されていて、左右方向（図２中の紙面左右方向）の両端部には夫々鈍角に折れ曲げられた折り曲げ部２Ｂが備わっている。一方の足場板の妻側端部Ｋ１２と他方の足場板の桁側端部Ｋ２１との間に多少の段差が生じたとしても、これを上手くカバーし、つまずき防止効果を一層高め、より安全なコーナーステップを提供できるからである。更に、表面（上面）２Ｃには作業者が滑るのを防止するために、例えばエンボス加工等の手段によって粗面に形成されている。
【００３０】
また、このコーナーステップ本体２の下面２Ａには、図２、４、１１、１２に示すように、その前後（図３中の紙面上下方向）端からやや奥まった個所の左右方向の全長にわたってリブ２Ｄが一体に突設されている。このリブ２Ｄは一方の足場板の妻側端部Ｋ１２或いは他方の足場板の桁側端部Ｋ２１上に載置された際、図１３に示すように、他方の足場板の桁側端部Ｋ２１の両サイドに設けられた掴み金具（フック金具）Ｆの内側縁に当接することにより、殊に横方向へコーナーステップ本体２を押しやる外力に上手く対抗し、後述のロック部材によるロック機能と相俟って横滑り防止効果も上手く発揮することができ、より安全なコーナーステップを提供できるからである。
【００３１】
次に、固定装置３の全体構成の概要について、図１、５〜７の記載に基づいて説明する。
固定装置３は、金属板で形成された固定装置本体４と、固定装置本体４に取り付けられていて、前記枠組足場の足場板の横材５（図１０参照）に係合して前記固定装置本体４の前記横材５からの抜け出しを阻止するロック位置と前記横材５から離間して前記固定装置本体４の前記横材５からの抜け出しを許すロック解除位置との間で揺動自在なロック部材６と、このロック部材６を前記ロック位置から前記ロック解除位置に移動させるための操作部材７を備えると共に、前記固定装置本体４は取付け基盤８に立設された一対の支え起立板９に対して横支軸１０周りで起伏自在に取り付けられ、更に、前記固定装置本体４と前記取付け基盤８との間に設けられていて、前記固定装置本体４の起立作用姿勢と横倒し姿勢を夫々保持する起伏姿勢保持構造１１と、両姿勢を安定的に保つための弾性付勢材１２から構成されている。
【００３２】
前記固定装置本体４は、鋼板或いはアルミニウム製の矩形形状の金属製平板を中央で半折りにし、前後方向（図５中紙面上奥行き方向）に所定の間隔Ｌ（図６参照）を開けて一対の支持壁体１３が対峙するように、断面が底壁４Ａを備えた逆Ｕの字状に形成されていると共に、左右方向（図５中紙面上左右方向）の中央部分やや左寄り位置に、前記底壁４Ａから上方に向かって、下方が開放するように前後の前記支持壁体１３を逆Ｕの字型に切り欠いて形成された横材嵌合孔１４が設けられていて、この横材嵌合孔１４が前記横材５の上方から下方開放口１５を介して挿抜自在に嵌合される。支持壁体１３の上縁は互いに独立している。必要に応じて上縁側も前後を一体的に連結しても良い。固定装置本体の強度アップにつながる。尚、底壁４Ａは、図示される構造の他、別体として、前記間隔Ｌに等しい幅を備えた細長矩形の角材を前後の前記支持壁体１３の下端の間に挟在させ、溶着などで一体にする構成も採用できる。
【００３３】
ロック部材６は、図５〜７、同８〜９に示すように、鋼板或いはアルミニウム製の金属製平板で構成されていて、前記横材５に当接する側の辺縁が前記横材嵌合孔１４の上部半円状部分１４Ａと同じ円弧を有する円弧縁６Ａに形成されている。そしてこのロック部材６は前記固定装置本体４の前記前後に相対峙する前記前後の一対の支持壁体１３間に横架される上下一対の支軸の一例である上側ピン１６と下側ピン１７が、前記ロック部材６に夫々貫設された上部長孔１８と下部長孔１９とに夫々挿通され、これによってこのロック部材６は、図８に示すロック位置と図９に示すロック解除位置との間で揺動自在に保持されるように構成されている。前記上部長孔１８と下部長孔１９とは共に、図示するように、くの字状に形成されていて、前記ロック位置とロック解除位置の夫々の位置にあって軽い操作抵抗が掛かるように構成され、通常では、人的にその位置を解除する操作をしない限りはその姿勢が保たれる構成となっている。また、このロック部材６は、その上端から一体に平板状の前記操作部材７が突設されている。そして、ロック位置ではその前記横材５に当接する側の円弧縁６Ａの下部６Ｂを前記横材嵌合孔内１４に突き出させることにより、この横材嵌合孔１４の前後一対の内周縁１４Ｂと協働して前記横材５の外周の半周以上を抱きかかえて前記固定装置本体４の前記横材５からの抜け出しを阻止するように働く。また、前記ロック解除位置では前記ロック部材６の円弧縁６Ａの上部６Ｃを前記横材嵌合孔１４内に突出させることにより、前記横材５を上方から下方へ押圧してこの横材５の前記横材嵌合孔１４からの離脱を促すように働く。
【００３４】
取付け基盤８は、図１、図５〜９に示すように、金属製の矩形形状の平板で四隅部分にボルト挿通孔８Ａを備えていて、ボルト（図１１, １２参照）を介して前記コーナーステップ本体２の下面に着脱自在に固定される。また、この取付け基盤８には、前記のように、前記固定装置本体４に起立倒伏自在に保持されている。具体的には、前記固定装置本体４の前後一対の支持壁体１３の左右両端の上縁４Ｂから一段下方に落とし込んで切り欠いて凹入段部４Ｃが夫々形成され、この凹入段部４Ｃ上に、軸線方向を前記支持壁体１３の面と平行で、且つ、水平にした支持筒部材の一例としての支え筒体２０が溶接などの手段で一体的に取り付けられている。一方、前記取付け基盤８の左右両辺８Ｂの前後方向中間部分に前後方向に所定の幅を備えた矩形の片を一体に設けて、これを下方に向かって一体に折り曲げることによって、前記支え起立体９が垂下連設されている。そしてこの両支え起立体９には夫々前記横支軸１０の貫通孔９Ａが穿設されていて、この両支え起立体９の一方側から前記貫通孔９Ａそして前記支え筒体２０、更には反対側の前記支え筒体２０から前記貫通孔９Ａを貫通させて前記横支軸１０が挿通保持される。これによって前記固定装置本体４は、前記横支軸１０を中心にして揺動自在で、前記取付け基盤８に対して起立倒伏自在に保持されている。尚、前記支え筒体２０は、前後の支持壁１３のいずれか一方側の前記凹入段部４Ｃに該当する部位を、段部とせずに矩形片とし、これを円形筒状にカールすることで筒部材を形成して、以って支え筒体とすることもできる。
【００３５】
尚、前記横支軸１０の両端は前記左右の支え起立体９の外側にあって、カシメ止めされる。前記横支軸１０の止め付け構造としては、前記の構造以外にも、図示しないが、例えばこの横支軸１０の一端を大径にして一方の前記支え起立体９へのストッパーとし、他方の端部には雄ネジを設け、他方の前記支え起立体９の外側へこの雄ネジを突出させて、この突出端にナットを螺合して締め付けることによって、取り付ける手段も採用できる他、本発明の目的に合致する構造であれば、他の如何なる手段が採用されても良い。
【００３６】
また、起伏姿勢保持構造１１は次のように構成されている。
即ち、この起伏姿勢保持構造１１は、概要、前記支え起立板９と切欠き段部２１、そして前記弾性付勢材１２とで構成される。更に詳細に説明すると、図５〜６、図７〜８に示すように、前記固定装置本体４の前記ロック部材６を装着した側の夫々の前記凹入段部４Ｃの横外側の端部上縁には所定寸法下方へ落ち込む切欠き段部２１が形成されている。一方、左右一対の前記支え起立板９の内、前記ロック部材６を設けた側に対峙する側の前記支え起立板９の下辺９Ｂと前後辺９Ｃ夫々の前記横支軸１０の中心からの距離が共に前記切欠き段部２１と前記横支軸１０の中心からの距離と同等の寸法を備えて構成されている。また、前記弾性付勢材１２は、前記固定装置本体４と前記取付け基盤８の前記起伏姿勢保持構造１１を設けた側とは反対側の支え起立板９と支え筒体２０との間に介在されていて、前記横支軸１０の周囲に嵌装された、前記押圧スプリングの，更に詳しく圧縮コイルバネである。
【００３７】
従って、前記固定装置本体４が起立姿勢にあるときには（図１１参照）、この前後一対の前記切欠き段部２１に前記支え起立板９の内、前記ロック部材６を設けた側に対峙する側の前記支え起立板９の下辺９Ｂの前後両端部が当接係合して、前記固定装置本体４の起立姿勢を安定的に保持する。このとき、前記弾性付勢材１２がその反発力によって固定装置本体４が押圧されて前記支え起立板９の下辺９Ｂと前記切欠き段部２１の当接係合が一層確実に保たれる。また、逆に固定装置本体４が前記横支軸１０を中心に前記起立姿勢からほぼ９０°横倒しにされた横倒し姿勢にあるときには（図１２参照）、前後一対の前記切欠き段部２１に前記支え起立板９の内、前記ロック部材６を設けた側に対峙する側の前記支え起立板９の前後辺９Ｃのいずれか一方が当接係合して、前記固定装置本体４の横倒し姿勢を安定的に保持する。このとき、前記圧縮コイルバネ１２がその反発力によって固定装置本体４が押圧されて前記支え起立板９の前記前後辺９Ｃのいずれか一方と前記切欠き段部２１の当接係合が一層確実に保たれる。
【００３８】
従って、多少の外力が働いても容易には前記支え起立板９と前記切欠き段部２１との係合が解除されるおそれはない。
また、この起伏姿勢保持構造１１は、固定装置本体４に設けられた切欠き段部２１と、この切欠き段部２１に対向する側の前記取付け基盤に設けられた前記支え起立板９の内のこの切欠き段部２１に対向する側の支え起立板９とから成るもので、固定装置本体４の起・伏のための姿勢維持構造１１を、固定装置３を構成する本来的な構成部材をそのまま利用して構成してあるので、構造の簡素化を図れると共に、コストダウンも計れ、廉価に提供できる。
【００３９】
尚、前記固定装置本体４はこの圧縮コイルバネ１２の弾性反発力によって常時そのロック部材６を設けた側（図５中紙面上右側）に押圧されて偏倚し、前記支え起立板９と前記切欠き段部２１が当接係合状態にある。従って、この固定装置本体４を起・伏させるには、両者の当接係合を解除しなければならない。これを行うには、前記固定装置本体４を前記圧縮コイルバネ１２の弾性押圧力に抗してこの圧縮コイルバネ１２の存在側（図５中紙面上左側）へ引っ張り、前記支え起立板９と前記切欠き段部２１の当接係合状態を解除し、そのまま前記固定装置本体４を起立若しくは倒伏させることになる（図１１、１２参照）。従ってまた、前記固定装置本体４と取付け基盤８との間には、前記支え起立板９と前記切欠き段部２１の当接係合を解除するための少しばかりのスライドを許容する余裕を持たせて、相互に構成され、また組み付けられていることは言うまでもない。
【００４０】
また、図示しないが、前記弾性付勢部材１２は圧縮コイルバネに代えて、例えば一端が取付け基盤８の下面に固定され、他端を遊端として前記固定装置本体４の適所に当接させ、もって、この固定装置本体４をそのロック材を設けた側に常時押圧する押圧力を備えた板バネを採用しても良く、その他本発明の目的に合致する構造であれば、他の如何なる手段が採用されても良い。
【００４１】
次に、前記コーナーステップ本体２の前後方向（幅方向：図４の紙面上上下方向）の中央部分で左右方向（図４の紙面上左右方向）の一端側（図例では左側）に偏倚した部位に平面長円形の開口２２が穿設されている。また、この開口２２の投影下に前記固定装置本体４に設けられたロック装置６の前記操作部材７の上端が臨むような位置関係を保って、前記固定装置３をその取付け基盤８を介して固定装着する。固定するに当たっては、図７、図１１、１２に示すように、コーナーステップ本体２の表面２Ｃ側から前記取付け基盤８の四隅に設けた前記ボルト挿通孔８Ａにボルト２３を差し込み、このボルト２３の先端をコーナーステップ本体２の下面２Ａ、更には前記取付け基盤８の下面８Ｃ側へ貫通させ、ナット２４（図１１、１２参照）を用いて固定する。前記操作部材７の上端の位置は、理想的には、前記コーナーステップ本体２の下面２Ａにその上端が位置するのが望ましい。
【００４２】
固定装置３をコーナーステップ本体２に固定しても、前記固定装置２の前記操作部材７の上端は、従来の構造と違って、前記コーナーステップ本体２の前記開口２２の表側から外方へは突出していない構成になっているため、作業員が不用意に前記操作部材７につま先などを引っ掛けるおそれがない。前記開口２２は、コーナーステップ本体２の表面２Ｃ側から、指先で前記操作部材７を引き上げる操作が可能な大きさであることは言うまでもない。
【００４３】
なお、前記コーナーステップ本体４に固定装置３を取り付けるに当たっては、前記の通り、ボルト２３とナット２４を用いるようにしたが、ボルト２４がコーナーステップ本体２の表面２Ｃ上に突出して、不用意に作業者がつまずくおそれをより少なくするために、図示しないが、皿ボルトや低頭ボルトなどが用いられることは言うまでもない。更には、次善の手段として、ブラインドリベットを用いて一体的に固定する手段も採用できる。ただし、このブラインドリベットを用いる場合には、コーナーステップ本体２と固定装置３の分離は出来ないため、ボルト、ナットを採用した場合に比べて、コーナーステップ本体２或いは固定装置３の何れかが破損しても、破損した側を取り換えさえすれば良く、資源の無駄を無くすことができるという利点はやや削がれる。
【００４４】
上記のように構成されるコーナーステップ１の取り付けにあたっては、図１０に示すように、他の作業床兼用通路Ｋ２の足場板Ｋ２１が架け渡されている足場用建枠の前記横材５に前記固定装置本体４のロック部材６を係止することにより、コーナー部Ｋ３における一方の通路Ｋ１の足場板Ｋ１２の妻側端部Ｋ１２Ａと他方の通路Ｋ２の足場板Ｋ２１の桁側端部Ｋ２１Ａとの間の隙間Ｋ３１を塞いで、作業の安全を確保する。
【００４５】
このコーナーステップ１を取付ける際に、前記ロック部材６を前記横材５に係止するときは、図１、図５〜６、図８〜９、図１１〜１２に示すように、先ずコーナーステップ本体２に対して前記固定装置本体４が起立姿勢にある状態にする。次いで、前記開口２２下に臨む前記操作部材７を、コーナーステップ本体２の上面側から手指をこの開口２２に差し込んで引き上げれば、ロック部材６が上方へ持ち上げられ、その下部６Ｂが前記横材嵌合孔１４から前記前後の支持壁体１３の間に引退し、この横材嵌合孔１４の下方開放口１５を開放するので、この状態で、コーナーステップ本体２を下降させ、前記横材嵌合孔１４内に前記横材５をその上方から順次嵌合させる。嵌合した後は、前記操作部材７を離すと、前記ロック部材６が上・下のピン１６、１７と上・下の長孔１８、１９の働きによって案内されて、下方へ落下し、前記ロック部材６の下部６Ｂを再び前記横材嵌合孔１４内に突出させ、この横材嵌合孔１４の前後一対の前記内周縁６Ａと協働して前記横材５の外周の半周以上を抱きかかえて前記固定装置本体４の前記横材５からの抜け出しを阻止する。
【００４６】
コーナーステップ１を取り外すときは、取付け時と同じように、操作部材７を指先で引上げ、ロック位置にあるロック部材を、図９に示すように、ロック解除した状態で、そのままコーナーステップ本体２を持ち上げることによって、簡単、且つ素早くコーナーステップ１を取り外すことができる。殊に、ロック部材６のロック解除時は、梃子の原理を用いてロック部材６の前記上部６Ｃによって前記横材５を直接押し付けるように働かせるので、コーナーステップ１をこの横材５からスムーズに離脱させることができる。
【００４７】
また、固定装置本体４を前後に所定の間隔を開けた２枚の支持壁体１３を備えて構成することによって、前記の通り、固定装置本体４による前記横材５の支持面積を格段に増加でき、併せて前記横支軸１０を固定装置３の中央部に位置するように構成することにより、コーナーステップ１を横材５に載置させたとき、コーナーステップ１上を歩く作業者の重力や衝撃等の負荷荷重を前記取付け基盤８に垂直方向の力として伝えることを可能にしたので、コーナーステップ１の設置時の安定した姿勢の保持を高度に保つことができ、安全性を高めることができる。しかも、前記横支軸１０は、その両端部位が、前記取付け基盤８の左右両辺８Ｃの前後中心部位から下方へ一体に垂下延設した支え起立板９に回転自在に軸支されているので、この横支軸１０は固定装置３の中央部に存在することになり、コーナーステップ１の設置時の安定した姿勢の保持を一層高度に保つことができ、安全性を更に高めることができる。  
【００４８】
また、取り外した後に固定装置３をコーナーステップ本体２の下面に沿わせて嵩低く収めるには、固定装置本体４を前記圧縮コイルバネ１２の弾性付勢力に抗して前記横支軸１０の軸心方向に沿わせて、ロック部材６のある側へ押圧することによって、前記支え起立板９と切欠き段部２１との当接係合を解除する。これによって、前記固定装置本体４は前記横支軸１０を中心にして前後何れの方向にも回動できるので、この解除姿勢を保ったままで、適宜の方向に向かって、前記取付け基盤８の下面８Ｃと平行になるように回動させる。回動の終端では、前記支え起立板９の前記前・後何れかの辺９Ｃが前記切欠き段部２１に当接係合される位置に至るので、この姿勢で、前記固定装置本体４を把持した指を離す。指を離すことによって、この固定装置本体４は前記圧縮コイルバネ１２の押圧力によって、ロック部材６を設けてある側とは反対側に強制的に動かされ、前記前・後何れかの辺９Ｃが前記切欠き段部２１に当接係合され、その係合状態を保つ。従って、固定装置３はコーナーステップ本体２の下面に沿わせて嵩低く収められるから、コーナーステップ１を収納保管或いは運搬する時など、嵩低く安定的に積み重ねることができ、従ってまた安全性の確保にも貢献することができる。
【００４９】
以上説明した各実施例は、必ずしも図示する構造に限定されるものではなく、示された個々の構造、形状は発明の趣旨と矛盾しない範囲で相互に組み合わせたり、援用したりすることが出来る。
【符号の説明】
【００５０】
１…コーナーステップ
２…コーナーステップ本体
２Ｂ…折り曲げ部
２Ｄ…リブ
３…固定装置
４…固定装置本体
５…横材
６…ロック部材
６Ａ…円弧縁
６Ｂ…下部
６Ｃ…上部
７…操作部材
８…取付け基盤
９…支え起立板
９Ｂ…下辺
９Ｃ…前後辺
１０…横支軸
１１…起伏姿勢保持構造
１２…弾性付勢材
１３…支持壁体
１４…横材嵌合孔
１４Ｂ…内周縁
１５…下方開放口
２０…支え筒体
２１…切欠き段部
２２…開口
【図１】
0006586333.tif 000002
【図２】
0006586333.tif 000003
【図３】
0006586333.tif 000004
【図４】
0006586333.tif 000005
【図５】
0006586333.tif 000006
【図６】
0006586333.tif 000007
【図７】
0006586333.tif 000008
【図８】
0006586333.tif 000009
【図９】
0006586333.tif 000010
【図１０】
0006586333.tif 000011
【図１１】
0006586333.tif 000012
【図１２】
0006586333.tif 000013
【図１３】
0006586333.tif 000014